(57)【要約】【課題】標準のバッテリー着脱時の操作性や外観の見えなどを損なうことなく、バッテリー着脱状態にて高容量のバッテリーの誤装着を防止でき、さらにバッテリー端子の保護も考慮した電子機器を提供する。【解決手段】  電子機器本体の一側面に形成された電源部材を収容可能な収容部と、前記収容部が形成された側面と同一の側面に配置され、電子機器本体に対して回動可能な表示装置を有し、前記表示装置を電子機器に収納した状態で前記表示装置が前記収容部を覆うような電子機器において、前記電源部材を着脱可能な位置まで前記表示装置を電子機器本体に対して回動させた時、前記表示装置の回動に伴って回動する部材が前記収容部の投影面内に突出することを特徴とする電子機器。【選択図】        図１
2007018971.tif 000002
【特許請求の範囲】
【請求項１】
電子機器本体の一側面に形成された電源部材を収容可能な収容部と、前記収容部が形成された側面と同一の側面に配置され、電子機器本体に対して回動可能な表示装置を有し、前記表示装置を電子機器に収納した状態で前記表示装置が前記収容部を覆うような電子機器において、前記電源部材を着脱可能な位置まで前記表示装置を電子機器本体に対して回動させた時、前記表示装置の回動に伴って回動する部材が前記収容部の投影面内に突出することを特徴とする電子機器。
【請求項２】
前記電源部材と係合し、前記収容部に配置された電源端子部材の一部が、前記電源部材を着脱可能な位置まで表示装置を電子機器本体に対して回動させた時、前記表示装置の回動に伴って回動する部材の投影面内にあることを特徴とする請求項１に記載の電子機器。
【発明の詳細な説明】
【技術分野】
【０００１】
本発明は電子機器に関し、表示装置の内側にバッテリーが配置された電子機器における、高容量バッテリー等の本電子機器に適合しないバッテリーの誤装着防止機構に関する。
【背景技術】
【０００２】
近年、ＬＣＤなどの表示装置と着脱可能な小型のバッテリーを有した携帯性に優れる電子機器が普及している。特にデジタルカメラやデジタルビデオカメラなどの撮像装置やＰＤＡや携帯電話などの携帯型情報端末などの電子機器においては、電子機器本体に対してＬＣＤなどの表示装置が回動可能であることが多い。これらの電子機器では、電子機器本体と表示装置をヒンジなどの連結部材によって回動可能に連結し、表示装置を本体から離間する方向に回転させ、表示装置をユーザーが視認しやすい位置で使用する。電子機器に電源を供給するバッテリーは、電子機器の内部または電子機器の外部に突出した形で装着される。各電子機器でバッテリーの持続時間は様々であるが、同一の電子機器においてもその用途によって求められる持続時間が異なるので、一つの電子機器に対し、容量の異なる数種類のバッテリーが用意され、その中からユーザーが用途に適した持続時間を持つバッテリーを選ぶというケースも少なくない。
【０００３】
また同一バッテリーが様々な種類の電子機器に装着可能である場合も多く、当然、各容量のバッテリーも種々の電子機器に装着可能に構成される。各電子機器においてバッテリーを共通化することにより、メーカーはバッテリーを生産する際のコストを削減することが出来るし、同一バッテリーが使用可能な各機器に対するユーザーの購買意欲を促進することも可能である。一般的に現行のバッテリーでは、容量の小さいバッテリーほどその外形も小さく、容量の大きいバッテリーほどその外形も大きくなる。
【０００４】
バッテリーの収納機構に関して特許文献１に、ビデオカメラ本体に液晶表示ユニットが開閉可能に設けられ、且つバッテリーが装着可能なビデオカメラにおいて、液晶表示ユニットが設けられたビデオカメラ本体の側面にバッテリーを収納可能なバッテリー収納部を形成し、液晶表示ユニットを閉じた状態で液晶表示ユニットがバッテリー収納部を覆うことを特徴としたビデオカメラが紹介されている。このような構造によると、バッテリー収納部に収容されたバッテリーの上に表示装置が撮像装置本体に収納される形となるため、収納部に収納可能なバッテリーの形状が制限されることとなるが、バッテリーの脱落防止やビデオカメラのコンパクト化を可能にするというメリットがある。
【特許文献１】特開２００５−３９３４１号公報
【発明の開示】
【発明が解決しようとする課題】
【０００５】
しかしながら前述したように、各容量のバッテリーが種々の電子機器に装着可能であることを鑑みると、上記のような構造をもつ電子機器に適合しない高容量のバッテリー（外形の大きなバッテリー）を装着された場合、表示装置を本体に収納しようとしても、表示装置の表示面と高容量バッテリーとが干渉してしまい、表示装置を本体に収納することができなくなるばかりか、無理に表示装置を収納しようとして表示装置の表示面を破損させるというような問題が起こり得る恐れがある。
【０００６】
この問題を解決するには、高容量バッテリーなどの、上記のような構造をもつ電子機器に適合しないバッテリーの誤装着防止機構を電子機器に設けることが有効な手段となる。
【０００７】
そこで本発明において、標準のバッテリー着脱時の操作性や外観の見えなどを損なうことなく、バッテリー着脱状態にて高容量のバッテリーの誤装着を防止でき、さらにバッテリー端子の保護も考慮した電子機器を提供することを目的とする。
【課題を解決するための手段】
【０００８】
この発明は下記の構成を備えることにより上記課題を解決できるものである。
【０００９】
（１）電子機器本体の一側面に形成された電源部材を収容可能な収容部と、前記収容部が形成された側面と同一の側面に配置され、電子機器本体に対して回動可能な表示装置を有し、前記表示装置を電子機器に収納した状態で前記表示装置が前記収容部を覆うような電子機器において、前記電源部材を着脱可能な位置まで前記表示装置を電子機器本体に対して回動させた時、前記表示装置の回動に伴って回動する部材が前記収容部の投影面内に突出することを特徴とする電子機器。
【００１０】
（２）前記電源部材と係合し、前記収容部に配置された電源端子部材の一部が、前記電源部材を着脱可能な位置まで表示装置を電子機器本体に対して回動させた時、前記表示装置の回動に伴って回動する部材の投影面内にあることを特徴とする前記（１）に記載の電子機器。
【発明の効果】
【００１１】
本発明によれば、表示装置の内側に電源部材を配置するような電子機器において、表示装置を電子機器本体に対して回動させ電源部材の着脱を可能な状態にした際、表示装置の回動に伴って回動する部材が、収納部の投影面に突出してくることにより、高容量電源部材などの適合しない電源部材の誤装着の防止が可能となり、無理矢理表示装置を装置を収納させようとして、表示装置を破損させるなどの問題を回避することができる。
【００１２】
また、表示部を回動させることによって高容量電源部材などの誤挿入を防止する突出部が出てくるという構造であるため、外装などに誤挿入防止リブをたてるといったような対策と比較し、外観を損なうことなく容易に誤挿入防止機構実現することができる。
【００１３】
また、誤挿入を防止する突出部の位置及び突出量により、装着を制限される電源部材の寸法を調整することが可能であるため、標準的に使用する電源部材を挿入する際の操作性を損なうことなく誤挿入防止機構を実現することができる。
【００１４】
また、誤挿入を防止する突出部で電源端子部材を覆うことにより、高容量電源部材などの誤挿入等による電源端子部材の破損を防止することができる。
【発明を実施するための最良の形態】
【００１５】
以下、本発明の実施の形態を、電子機器の一例として、撮像装置本体に対して表示装置が連結部材を介して回動可能であり、表示装置を本体に収納した際、表示装置が電源部材を覆うような撮像装置を用いて説明する。
【実施例】
【００１６】
（第一の実施例）
図１〜図３に本発明の第一の実施例に係る撮像装置の斜視図を示す。尚、本実施例においては、本実施例に係る撮像装置のレンズ側の面を撮像装置正面、撮像装置正面と反対側の面を撮像装置背面、撮像装置正面の右側の面を撮像装置右側面、撮像装置正面の左側の面を撮像装置左側面、撮像装置正面の下側の面を撮像装置底面とする。
【００１７】
（撮像装置外観符号の説明）
１０は被写体を撮像するためのレンズ１０１や図示しない撮像した画像を電気信号として取り込むためのＣＣＤ、取り込んだ画像を処理する画像処理制御基板、取り込んだ画像を記録するための記録部など、撮像装置の重要な要素によって構成される撮像装置本体、１１は撮像装置右側面に配置され撮像装置本体１０で撮像した画像を表示することが可能な表示装置、２０は撮像装置本体１０と表示装置１１を回動可能に連結する連結部、１０６は情報を表示する表示面、１０７は表示装置１１に設けられた表示装置１１を撮像装置本体１０にロックするための係合溝、１０２は係合溝１０７と係合し表示装置１１をロックする表示装置ロック部材、１０４は押圧することで撮影をスタート／ストップすることができるトリガーボタン、１３は撮像装置本体１０に電源を供給する標準電源部材、１２は撮像装置本体１０に形成された凹部によって構成される標準電源部材１３を収納する収納部、１０８は標準電源部材１３の端子部と係合し撮像装置本体１０に電源を供給する電源端子部材、１０３は標準電源部材１３を収納部１２にロックする部材と係合しスライドさせることでロックを解除可能な電源部材ロックノブ、をそれぞれ表す。
【００１８】
（撮像装置の構成・使用例）
図１は表示装置１１を撮像装置本体１０に収納し、表示装置ロック部材１０２により撮像装置本体１０に表示装置１１がロックされた状態を表す。また図２は表示装置１１を撮像装置本体１０に対して回動し、表示装置１１をユーザーが視認可能な位置に回動させた状態を表す。また図３は図２の状態から標準電源部材１３を取り出した状態を表す。
【００１９】
本実施例における撮像装置にて撮影を行う場合、ユーザーはまず図１の状態から表示装置ロック部材１０２のロックを解除し、撮像装置本体１０に対して表示装置１１を回動させる。本実施例における撮像装置は標準電源部材１３が表示装置１１に覆われる構成であるため、表示装置１１を開くことで初めて標準電源部材１３の着脱が可能となる。
【００２０】
次に図２のように、標準電源部材１３を電源端子部材１０８と係合させるように収納部１２に押し込み、標準電源部材１３を収納部１２にロックさせる。その後、撮像装置本体１０の電源を入れ撮像装置本体１０を右手で把持して、レンズ１０１を被写体に向けトリガーボタン１０４を押圧して撮影を開始する。レンズ１０１で撮像された画像は、レンズ１０１の光軸後方に設置された図示しないＣＣＤなどの受光素子によって電気信号としてとりこまれ、撮像装置本体１０内部の図示しない画像処理制御基板によって、デジタル変換やデータ圧縮などの画像処理が行われる。処理された画像信号はフレキシブルケーブルなどの信号伝達手段によって表示装置１１内に配置された図示しない画像表示基板に伝達され、表示面１０６に撮影中の画像を表示することができる。表示装置１１は後述するヒンジユニット２１を介して撮像装置本体１０に対して回動可能に取り付けられ、図２に示すように表示装置１１を回動させユーザーが視認しやすい位置で使用することができる。撮影終了後、電源部材を取り外す際は、図３のように表示装置１１が開いた状態で電源部材ロックノブ１０３をスライドさせ標準電源部材１３のロックを解除し、標準電源部材１３を収納部１２より取り出す。
【００２１】
（電源部材ロック及びロック解除の説明）
図４〜図８に標準電源部材１３を収納部１２に着脱する際の、ロック及びロック解除の様子を示す。尚、他図と同様の構成要素には同じ符号を付し図示を省略する。
【００２２】
１０９は電源部材ロックノブ１０３と係合し電源部材ロックノブ１０３と一体的にスライドする電源部材ロック部材、１１３は電源部材ロック部材１０９に形成され、標準電源部材１３に形成されたロック溝１０５と係合し標準電源部材１３を収納部１２にロックするロック部、１１０は電源部材ロック部材１０９を図５のＬ方向に付勢する電源部材ロックバネ、１１２は電源部材ロックノブ１０３に形成され電源部材ロック部材１０９と係合する爪部、をそれぞれ表す。
【００２３】
図４は撮像装置右側面からみた図であり標準電源部材１３が収納部１２にロックされた状態を表す。図５は撮像装置左側面から標準電源部材１３のロック機構をみた際の詳細図を表す。図６〜図８はそれぞれ図４に示す断面を切る線Ａ・Ｂ・Ｃで表わされる断面図である。
【００２４】
図６に示すように電源部材ロックノブ１０３と電源部材ロック部材１０９は電源部材ロックノブの爪部１１２によって外装部材１１１の肉厚部を挟んで係合され、電源部材ロックノブ１０３をスライドさせるとそれに伴って電源部材ロック部材１０９も電源部材ロックノブ１０３と一体的にスライドする。また図５に示すように電源部材ロック部材１０９は電源部材ロックバネ１１０によってＬ方向に付勢され、外装部材１１１から突出するリブによってスライド方向が一方向に限定される。
【００２５】
また図７に示すように、電源部材ロック部材１０９のロック部１１３は標準電源部材１３に形成されたロック溝１１２とＯ部にて係合し、標準電源部材１３をロックする。この時、電源部材ロック部材１０９が電源部材ロックバネ１１０によってＬ方向に付勢されていることにより、ロック部１１３は図７に示すロック状態を維持する。ロックを解除し標準電源部材１３をとりはずす場合は、電源部材ロックノブ１０３をＬ方向と逆の方向へスライドさせ、ロック部１１３を図７の破線の位置まで移動させることによりロックを解除し電源部材１２を取り外す。
【００２６】
また図８に示すように、標準電源部材１３の端子部は図示しない金属性の板バネによって構成され、電源端子部材１０８と係合することにより、撮像装置本体１０へ電源を供給する。
【００２７】
（表示装置の回動機構）
図９〜図１２に撮像装置本体１０と表示装置１１を回動可能に連結する連結部２０の回動機構を示す。尚、他図と同様の構成要素には同じ符号を付し、図示を省略する。
【００２８】
２１は連結部２０の核をなすヒンジユニット、２０１Ａは撮像装置本体１０の外装に取り付け可能に構成された取り付け部材Ａ、２０１Ｂは撮像装置本体１０の外装などに取り付け可能に構成された取り付け部材Ｂ、２０３は連結部２０を構成する各要素を連結するヒンジシャーシ、２０４はヒンジシャーシ２０３に対し回転可能に連結されたセンターシャフト、２０５はセンターシャフト２０４に固定されセンターシャフト２０４と共に回転可能であり、表示装置に取り付け可能に構成されたヒンジプレート、２０６はヒンジシャーシ２０３と取り付け部材Ｂ２０２Ｂを連結するサイドシャフト、２０７はヒンジシャーシ２０３に固定され、ヒンジシャーシ２０３と共に回転するヒンジストッパー、２０８はヒンジユニット２１の上側に取り付きヒンジユニット２１の上部を覆うヒンジ上カバー、２０９はヒンジユニット２１の下側に取り付きヒンジユニット２１の下部を覆うヒンジ下カバー、２１０はヒンジ下カバー２０９に形成された凸部をそれぞれあらわす。
【００２９】
取り付け部材Ａ２０１Ａ及び取り付け部材Ｂ  ２０１Ｂはサイドシャフト２０６を介してヒンジシャーシ２０３にサイドシャフト２０６を回転軸として回動可能に取り付けられる。センターシャフト２０４とセンターシャフト２０４に固定されているヒンジプレート２０５はヒンジシャーシ２０３に対してセンターシャフト２０４を回転軸に回動可能に取り付けられている。
【００３０】
連結部２０を電子機器に組み込んで使用する際は、取り付け部材Ａ  ２０１Ａ及び取り付け部材Ｂ  ２０１Ｂを電子機器の本体に固定し、ヒンジプレート２０５を表示装置に固定して使用する。この際、電子機器本体に固定されている取り付け部材Ａ  ２０１Ａ及び取り付け部材Ｂ  ２０１Ｂとヒンジシャーシ２０３はサイドシャフト２０６を軸に回動可能に取り付けられているので、電子機器本体に対して表示装置を接離する方向に回動することが可能となる。また、サイドシャフト２０６の軸と直行したセンターシャフト２０４はヒンジシャーシ２０３に対してセンターシャフト２０４を軸に回動可能に連結されているので、表示装置の表裏を反転させる方向に回転可能となる。
【００３１】
次に、連結部２０がサイドシャフトを軸に回動する様子について述べるが、回動する様子はセンターシャフト２０４を軸に対称であるので、ここでは片側の構造だけを示す。
【００３２】
図１１は表示装置１１が撮像装置本体１０に収納された状態で、連結部２０を撮像装置底面から見た時の図である。図１２は表示装置１１が撮像装置本体１０に対して離間する方向に９０°回転した状態で、連結部２０を撮像装置底面から見た時の図である。ヒンジユニット２１とヒンジ上カバー２０８及びヒンジ下カバー２０９は図示しない爪部及び爪係合溝によってヒンジシャーシ２０３に固定されているため、ヒンジ上カバー２０８及びヒンジ下カバー２０９は図１２に示すように、ヒンジユニット２１の回動に伴って、撮像装置本体１０に接離する方向に回動する。また、メインシャーシ２０３と共に回動するヒンジストッパー２０７が、取り付け部材Ｂ  ２０１Ｂに設けられた溝に係合しており、表示装置が所定の角度まで回転すると、ヒンジストッパー２０７が取り付け部材Ｂ  ２０１Ｂに設けられた溝の端部に突き当たり、サイドシャフト２０６を軸とした表示装置の回転角度を９０°に規制する。
【００３３】
（高容量バッテリー誤挿入防止機構の説明）
図１３に本実施例にかかる撮像装置を撮像装置右側面からみた図を示す。尚、他図と同様の構成要素には同じ符号を付し図示を省略する。図１３は、前述したように連結部２０によって表示装置１１を撮像装置本体１０に対して９０°回転させ、標準電源部材１３を着脱可能にした状態を表している。図１３中の斜線で示した範囲が撮像装置本体１０に形成された凹部からなる標準電源部材１３を収容可能な収納部１２である。１１４は収納部１２の撮像装置正面側の端を表す収納部前端、１１５は収納部１２の撮像装置背面側の端を表す収納部後端をそれぞれ表す。図１３に示すように、表示装置１１を９０°に開き標準電源部材１３を着脱可能な状態したとき、表示装置１１の回転に伴って回転する連結部２０を構成するヒンジ下カバー２０９の凸部２１０が収納部前端１１４から突出し、収納部１２の投影面内に入り込む。このとき凸部２１０の収納部１２へ最も突出している部位を突出部２１１とする。
【００３４】
図１４及び図１５は図１３の状態にある撮像装置を撮像装置底面からみた図である。尚、他図と同様の構成要素には同じ符号を付し図示を省略する。１４は標準電源部材１３に比べ高容量で外形が標準電源部材１３よりも大きい高容量電源部材１４を表す。
【００３５】
図１４は撮像装置本体１０に形成された収納部１２に標準電源部材１３を装着しようとした際の様子を表す。標準電源部材１３を収納部１２に装着する際は、標準電源部材１３の端子部を電源端子部材１０８と係合させるように収納部１２に押し込み、標準電源部材１３を収納部１２にロックさせる。標準電源部材１３を収納部１２に装着する際には、その装着軌跡が収納部前端１１４より突出した突出部２１１と干渉しないため収納部１２への装着が可能である。
【００３６】
図１５は撮像装置本体１０に形成された収納部１２に高容量電源部材１４を装着しようとした際の様子を表す。標準電源部材１３の場合と同様、高容量電源部材１４を収納部１２に装着する際は、標準電源部材１３を電源端子部材１０８と係合させるように収納部１２に押し込み、標準電源部材１３を収納部１２にロックさせねばならないが、図１５に示すように、高容量電源部材１４を収納部１２に収納しようとすると、収納部前端１１４より突出した突出部２１１が高容量電源部材１４の先端１１７と突き当たり、収納部１２に収納しようとしても収納部後端１１５と高容量電源部材１４の底面１１６が接触し高容量収納部１２への進入が不可能となる。また、図１５に示す突出部２１１のＹ方向位置及びＸ方向の突出量を調整することにより、収納部１２への進入を制限する電源部材大きさをコントロールすることが可能である。
【００３７】
図１６は連結部２０により、表示装置１１を撮像装置本体１０に対して９０°回転させ、標準電源部材１３を着脱可能な状態での連結部２０と電源端子部材１０８との関係を、撮像装置右側面からみた図である。図１６のＰ部に示されるように、電源端子部材１０８が突出部２１１より収納部前端１１４側へ配置される。即ち電源端子部材１０８の一部が連結部２０の投影面内に配置されることとなる。このような構成にすることによって、高容量電源部材１４などを誤挿入してしまいそうになった時も、高容量電源部材１４と電源端子部材１０８が接触不可能であるため、電源端子部材１０８を保護することが可能となる。
【図面の簡単な説明】
【００３８】
【図１】第一の実施例に係る撮像装置の斜視図
【図２】第一の実施例に係る撮像装置の斜視図
【図３】第一の実施例に係る撮像装置の斜視図
【図４】電源部材をロックしている状態を表す撮像装置右側面図
【図５】電源部材をロックする機構の詳細図
【図６】図４における断面図Ａ−Ａ
【図７】図４における断面図Ｂ−Ｂ
【図８】図４における断面図Ｃ−Ｃ
【図９】連結部材正面図
【図１０】連結部正面図
【図１１】連結部下面図（閉）
【図１２】連結部下面図（開）
【図１３】撮像装置右側面図
【図１４】標準電源部材挿入時
【図１５】高容量電源部材挿入時
【図１６】連結部と電源端子部材の位置関係
【符号の説明】
【００３９】
１０      撮像装置本体
１１      表示装置
１２      収納部
１３      標準電源部材
１４      高容量電源部材
１０１    レンズ
１０２    表示装置ロック部材
１０３    電源部材ロックノブ
１０４    トリガーボタン
１０５    ロック溝
１０６    表示面
１０７    係合溝
１０８    電源端子部材
１０９    電源部材ロック部材
１１０    電源部材ロックバネ
１１１    外装部材
１１２    ロック爪
１１３    ロック部
１１４    収納部前端
１１５    収納部後端
１１６    高容量電源部材底面
１１７    高容量電源部材先端
２０      連結部
２１      ヒンジユニット
２０１Ａ  取り付け部材Ａ
２０１Ｂ  取り付け部材Ｂ
２０３    ヒンジシャーシ
２０４    センターシャフト
２０５    ヒンジプレート
２０６    サイドシャフト
２０７    ヒンジストッパー
２０８    ヒンジ上カバー
２０９    ヒンジ下カバー
２１０    凸部
２１１    突出部
【図１】
2007018971.tif 000003
【図２】
2007018971.tif 000004
【図３】
2007018971.tif 000005
【図４】
2007018971.tif 000006
【図５】
2007018971.tif 000007
【図６】
2007018971.tif 000008
【図７】
2007018971.tif 000009
【図８】
2007018971.tif 000010
【図９】
2007018971.tif 000011
【図１０】
2007018971.tif 000012
【図１１】
2007018971.tif 000013
【図１２】
2007018971.tif 000014
【図１３】
2007018971.tif 000015
【図１４】
2007018971.tif 000016
【図１５】
2007018971.tif 000017
【図１６】
2007018971.tif 000018